(57)【要約】【課題】  従来からある鉢やプランタ−のスタンドやベンチは、その使用に当たっては、鉢やプランタ−の形や大きさに限定され、かつ、固定的である。また、構造上から背丈の高くなる植栽物や蔓性植栽物を支えるための支柱を安定的に保つことは不可能である。【解決手段】  鉢やプランタ−を支持する支持板の中央に切込みを入れ、その切込みと両端に孔を設け、支持板の切込みを中心に十文字に抱き合わせ、四方端と中央の孔に落下防止のための保持環のついたパイプ脚を挿入し、支持台を構成した。これにより、鉢でもプランタ−でも汎用的に使用でき、支持板及びパイプ脚の長短を自由に選択することができるので適応範囲が広くなり、組み立てや分解も容易である。さらに、必要に応じ必要なほどパイプ脚の中に支柱を挿入することによって容器内の土の重さも相まって背丈の高い植栽物や蔓性植栽物を安定して保持することができる。【選択図】図１
2008283951.tif 000002
【特許請求の範囲】
【請求項１】
支持板の中央に切込みを入れ、その切込みと両端に孔を設け、支持板の切込みを中心に十文字に抱き合わせ、四方端と中央の孔に落下防止のための保持環のついたパイプ脚を挿入し、パイプ脚に支柱が立てられ、しかも、支持板の長短及びパイプ脚の長短が自由に取り替えられるように組み立てと分解が容易な鉢でもプランタ−でも汎用的に使用できる支持台。
【発明の詳細な説明】
【技術分野】
【０００１】  この発明は、植物の栽培に使用する鉢及びプランタ−を安定して置き、必要に応じて支柱を立てることができる支持台に関するものである。
【背景技術】
【０００２】  鉢やプランタ−を地面から隔離することは、植栽物の通気性を良くし、降雨や散水による泥跳による汚れと土壌病害を防ぎ、地面を這い回る害虫（ナメクジ、カタツムリ、ダンゴ虫等）から回避する効果があると同時に美観を創出する効果がある。また、必要に応じて支柱を設けることは植栽物の良好な成育に寄与することが大である。【０００３】  従来から一般的に市販されている鉢やプランタ−を置くためのものとして、金属筋を用いたスタンド及び合成樹脂や木材等を使用したベンチ型の置台がある。
【発明の開示】
【発明が解決しようとする課題】
【０００４】  しかし、これ等従来からあるスタンド類には、次のような問題点がある。【０００５】  まず、金属筋のスタンドは、鉢やプランタ−の大きさや形状に厳しく限定され、汎用性が全くないといってよい。【０００６】  次にベンチ型スタンドは、ある程度汎用性はあるものの置き場所が限定され、移動も容易でない。【０００７】  さらに、徹底的な問題として、金属筋スタンドもベンチ型スタンドもその構造上から鉢やプランタ−を置くだけで、背丈の高くなる植栽物や蔓性の植栽物に必要な支柱及びネットを設けることは不可能である。勿論、鉢やプランタ−に直接に支柱及びネットを設けることは理論的のには可能であるが鉢やプランタ−の底が十分な深さがなく、支柱の立ち方が不安定であり、植栽物の成長に伴い葉が繁茂したり実が大きくなると茎を支える支柱がぐらついたり、風雨にあった場合には、いとも簡単に倒れることがある。【０００８】  しかも、いずれのスタンドも高価であったり使用上の制限があったりして十分に活用されているとは言えない。そのためか一般的には鉢やプランタ−をコンクリートブロックやレンガの上に置いているのが実状である。目下の園芸ブームのなかにあって、園芸愛好家は、斬新なアイデアのある支持台の出現を強く望んでいる。【０００９】  本発明は、これ等従来からのある支持台の有する問題を解決しようとするものであり、鉢でもプランタ−でも汎用的に使用可能で、組み立てと分解が簡単にできて、しかも、支柱を必要に応じて必要なほど安定して立てることができる低価格の支持台の提供を目的とするものである。
【課題を解決するための手段】
【００１０】  この発明は、上記目的を達成するため、抱き合わせのために切込みを設け、両端及び中央に差込み孔を設けた支持板を十文字に交差させ、落下防止のための保持環のついたパイプ脚を差込み孔に貫通し、鉢やプランタ−を支持することを特徴とするものである。【００１１】  また、第２の課題解決手段は、支持板を支えるための脚をパイプ脚にすることにより、その中に支柱を立てることができるようにしたことである。さらに、支持板上部よりパイプ脚の先端を数センチほど上に突出させることにより、鉢やプランタ−の滑り落ち防止の効果を発揮できる。
【発明の効果】
【００１２】  上述したように本発明の支持台は、鉢でもプランタ−でも汎用的に使用でき、必要に応じて必要な数ほど必要な箇所に支柱を立てることができ、支持板上部の突出部により鉢やプランタ−の滑落を防ぎ、容器の中の土の重さの効果も働き、安定して保持機能を発揮し、植栽物が繁茂したり、実が大きくなっても少々強い風が吹いても倒れることなく安定して植栽物を保持できる。【００１３】  また、組み立て式であるので、支持板やパイプ脚の長さを選択することによって鉢やプランタ−の形状や大小にも問題なく利用度の極めて高い支持台を提供できる。支持台を使用しないときは、邪魔にならないように分解して格納しておくことができる。
【発明を実施するための最良の形態】
【００１４】  以下、本発明の実施の形態を図１〜図８に基づいて説明する。【００１５】  まず、支持板用の板の中央に切込みを設け、両端及び中央にパイプ脚の外径と同じ大きさの差込み孔を設けて図３及び図４を形成する。【００１６】  次に、パイプ脚用のパイプにパイプ脚を挿入したときに支持板が滑り落ちないようにパイプの外径と同じ程度の内径のパイプを数センチの長さに切断し、接着剤等で固定し保持環４を設け、その上、水抜き孔付脚キャップ５を付け図５及び図６を形成する。【００１７】  図１は、鉢用支持台の実施形態を示すものである。図３の支持板（長）を切込みを上下に十文字に抱き合わせ、交差中央部の差込み孔に図６のパイプ脚（短）を、四方の差込み孔にパイプ脚（長）を挿入して組み立てたものである。【００１８】  図２は、プランタ−用支持台（片方）の実施形態を示すものである。図３の支持板（長）と図４の支持板（短）を切込みを上下に十文字に抱き合わせ、交差中央部とプランタ−の底部に接する支持板の片方に図６のパイプ脚（短）を、他の三方の差込み孔には図５のパイプ脚（長）を挿入して組み立てたものである。【００１９】  図７は、図１の鉢用支持台に、植木鉢を乗せ、中央に支柱を設けた実施例である。必要に応じては、四方に支柱を設けることもできる。【００２０】  図８は、図２のプランタ−用支持台にプランタ−を乗せ、中央ラインに支柱を設けた実施例である。必要に応じて両脇４箇所にも支柱を設けることができる。【００２１】  支持板図３及び図４は、木材に限らず金属、合成樹脂等を用いてもよく、木材の場合は、腐食防止のため火で焼いたり、塗装を施すことが望ましい。また、パイプ素材は、塩化ビニールパイプが軽くて耐久性があり、加工性に富んでいるが、金属その他の合成樹脂等も考えられる。
【産業上の利用可能性】
【００２２】  本発明に係る資材は、すべて工業的に量産することが可能であるため、産業上の利用可能性を有する。
【図面の簡単な説明】
【００２３】
【図１】本発明の鉢用支持台の組み立て斜視図
【図２】同プランタ−用支持台（片方）の組み立て斜視図
【図３】同支持板（長）の斜視図
【図４】同支持板（短）の斜視図
【図５】同パイプ脚（長）の斜視図
【図６】同パイプ脚（短）の斜視図
【図７】同鉢用支持台の実施例の斜視図
【図８】同プランタ−用支持台の実施例の斜視図
【符号の説明】
【００２４】  １  支持板の差込み孔
２  支持板の切込み
３  パイプ
４  保持環
５  水抜き孔付き脚キャップ
【図１】
2008283951.tif 000003
【図２】
2008283951.tif 000004
【図３】
2008283951.tif 000005
【図４】
2008283951.tif 000006
【図５】
2008283951.tif 000007
【図６】
2008283951.tif 000008
【図７】
2008283951.tif 000009
【図８】
2008283951.tif 000010